(57)【要約】【課題】本発明は、試料皿を回転させることなく、穀粒によって方向が様々に異なる胴割れのすべてを検出することが可能な穀粒透視器を提供することを目的とする。【解決手段】本発明は、試料皿の透明な底面に斜め下方から光を入射させる穀粒透視器であって、ベース部材と、前記ベース部材内に回転可能に配設され、一側方に光源を有するとともに当該光源からの光を前記試料皿の底面に向けて反射する反射板を設けてなる回転部材と、前記ベース部材上に取り付けられて該ベース部材とともに外枠を構成し、前記回転部材の上方に位置して前記試料皿を受ける開口部を有するカバー部材と、を備え、  前記回転部材には該回転部材を回転操作するための操作部を設けるとともに、前記外枠には開口を形成し、前記操作部を、前記開口を介して前記外枠から外部へ延出させるとともに前記回転部材の中心を軸として揺動可能とすることを特徴とする。【選択図】図７
2014173884.tif 000002
【特許請求の範囲】
【請求項１】
試料皿の透明な底面に斜め下方から光を入射させる穀粒透視器であって、
ベース部材と、
前記ベース部材内に回転可能に配設され、一側方に光源を有する回転部材と、
前記ベース部材上に取り付けられて該ベース部材とともに外枠を構成し、前記回転部材の上方に位置して前記試料皿を受ける開口部を有するカバー部材と、を備え、
前記回転部材には該回転部材を回転操作するための操作部を設けるとともに、前記外枠には開口を形成し、
前記操作部を、前記開口を介して前記外枠から外部へ延出させるとともに前記回転部材の中心を軸として揺動可能とすることを特徴とする穀粒透視器。
【請求項２】
前記開口はスリット状の開口であって前記外枠の側面に形成され、前記操作部は前記スリット状の開口に沿って揺動可能とされる請求項１記載の穀粒透視器。
【請求項３】
前記開口はスリット状の開口であって前記カバー部材の上面に形成され、前記操作部は前記スリット状の開口に沿って揺動可能とされる請求項１記載の穀粒透視器。
【請求項４】
前記回転部材には、前記光源からの光を前記カバー部材の開口部が受ける前記試料皿の底面に向けて反射する反射板を設けてなる請求項１乃至３のいずれか一項記載の穀粒透視器。
【請求項５】
前記カバー部材の上面には、前記開口部から側方へ向けて前記試料皿の排出部を受け入れ可能とする凹部が設けられる請求項１乃至４のいずれか一項記載の穀粒透視器。
【請求項６】
前記凹部は、平面視において前記開口部の中心とスリット状の開口の中心を結ぶ直線に対称な位置に一対設けられる請求項２乃至５のいずれか記載の穀粒透視器。
【請求項７】
前記操作部は、前記回転部材における前記光源を有する一側方のさらに外側に設けられる請求項１乃至６のいずれか一項記載の穀粒透視器。
【請求項８】
前記カバー部材の開口部には、透明な材料から形成される底部を設けてなる請求項１乃至７のいずれか一項記載の穀粒透視器。
【発明の詳細な説明】
【技術分野】
【０００１】
本発明は、米粒等の穀粒の胴割れ検査等に使用する穀粒透視器に関する。
【背景技術】
【０００２】
従来、米粒に光を透過させ、米粒内の暗影の有無を検査して胴割れ米を発見する米粒透視器が知られている（特許文献１を参照。）。
特許文献１に記載された米粒透視器は、透明な底面を有する試料皿と、該底面に斜方から光を入射させる光源と、該光源を内蔵し前記試料皿を受ける開口を設けた上面を有するハウジングとを有し、前記試料皿を前記ハウジングの開口に回転可能に配置するものである。
【０００３】
前記米粒透視器によれば、試料皿に載置された複数の米粒に対して斜めに光を透光し、米粒内に見られる暗影から胴割れを検出することができる。また、前記米粒透視器によれば、前記試料皿を手動で回動させることで、米粒の位置を光の進行方向に対して変更できるため、米粒によって方向が様々に異なる胴割れのすべてを検出することが可能となる。
【０００４】
ところが、上記従来の米粒透視器は、試料皿を回動させて米粒を移動させることから、一旦、胴割れ米を発見できても、次の段階には、どの米粒が胴割れ米であったか分からなくなる問題がある。
【先行技術文献】
【特許文献】
【０００５】
【特許文献１】特開平１０−１６０６７７号公報
【発明の概要】
【発明が解決しようとする課題】
【０００６】
そこで、本発明は、試料皿を回転させることなく、穀粒によって方向が様々に異なる胴割れのすべてを検出することができる穀粒透視器を提供することを目的とする。
【課題を解決するための手段】
【０００７】
上記目的を達成するため、本発明は、
試料皿の透明な底面に斜め下方から光を入射させる穀粒透視器であって、
ベース部材と、
前記ベース部材内に回転可能に配設され、一側方に光源を有する回転部材と、
前記ベース部材上に取り付けられて該ベース部材とともに外枠を構成し、前記回転部材の上方に位置して前記試料皿を受ける開口部を有するカバー部材と、を備え、
前記回転部材には該回転部材を回転操作するための操作部を設けるとともに、前記外枠には開口を形成し、
前記操作部を、前記開口を介して前記外枠から外部へ延出させるとともに前記回転部材の中心を軸として揺動可能とすることを特徴とする。
【０００８】
本発明の穀粒透視器は、前記開口がスリット状の開口であって前記外枠の側面に形成され、前記操作部が前記スリット状の開口に沿って揺動可能とされることが好ましい。
【０００９】
本発明の穀粒透視器は、前記開口がスリット状の開口であって前記カバー部材の上面に形成され、前記操作部が前記スリット状の開口に沿って揺動可能とされることが好ましい。
【００１０】
本発明の穀粒透視器は、前記回転部材に、前記光源からの光を前記カバー部材の開口部が受ける前記試料皿の底面に向けて反射する反射板を設けてなることが好ましい。
【００１１】
本発明の穀粒透視器は、前記カバー部材の上面に、前記開口部から側方へ向けて前記試料皿の排出部を受け入れ可能とする凹部が設けられることが好ましい。
【００１２】
本発明の穀粒透視器は、前記凹部が、平面視において前記開口部の中心とスリット状の開口の中心を結ぶ直線に対称な位置に一対設けられることが好ましい。
【００１３】
本発明の穀粒透視器は、前記操作部が、前記回転部材における前記光源を有する一側方のさらに外側に設けられることが好ましい。
【００１４】
本発明の穀粒透視器は、前記カバー部材の開口部に、透明な材料から形成される底部を設けてなることが好ましい。
【発明の効果】
【００１５】
本発明の穀粒透視器は、開口を介して外枠から外部へ延出する操作部の操作により、一側方に光源を有する回転部材を回転させるので、試料皿を回転させることなく、穀粒によって方向が様々に異なる胴割れのすべてを検出することができる。
したがって、本発明の穀粒透視器によれば、胴割れの検査に際し、作業者から見て穀粒の位置が移動しないため、作業者は、一旦発見した胴割れ粒をその後の段階で見失うことがなく、胴割れ粒の数え間違いが発生する問題も生じない。
また、本発明の穀粒透視器は、回転部材に設けた操作部を、外枠に形成した開口を介して外部へ延出させるので構造が極めて簡単である。
【００１６】
本発明の穀粒透視器は、カバー部材の上面に、開口部から側方へ向けて前記試料皿の排出部を受け入れ可能とする凹部が設けられることとすれば、側方に延出する排出部を有する試料皿を使用する場合でも、当該穀粒透視器に前記試料皿をセットするに際し、前記排出部が障害となることがない。
そして、本発明の穀粒透視器は、試料皿でなく、一側方に光源を有する回転部材を回転させるため、前記試料皿の排出部が障害となることがなく、穀粒によって方向が様々に異なる胴割れのすべてを検出することができる。
【００１７】
本発明の穀粒透視器は、前記凹部が、平面視において前記開口部の中心とスリット状の開口の中心を結ぶ直線に対称に一対設けられることとすれば、作業者の利き手が左右いずれの場合でも作業を円滑に行うことができる。
【００１８】
本発明の穀粒透視器は、前記回転部材に設けられる操作部が、前記回転部材における前記光源を有する一側方のさらに外側に設けられることとすれば、作業者は、あたかも光源を手に持った感覚で回転部材を回転操作することができるため、胴割れの確認が容易となる。
【図面の簡単な説明】
【００１９】
【図１】本発明の実施の形態における穀粒透視器の背面側から見た斜視図。
【図２】図１の穀粒透視器の分解斜視図。
【図３】図１の穀粒透視器においてカバーを取り外した状態の説明図。
【図４】図１の穀粒透視器の平面図。
【図５】図１の穀粒透視器の左側面図。
【図６】図１の穀粒透視器の正面図。
【図７】本発明の実施の形態における穀粒透視器に試料皿をセットした状態を背面側から見た斜視図。
【図８】本発明の実施の形態における穀物透視器に試料皿をセットした状態の平面図。
【発明を実施するための形態】
【００２０】
本発明の実施の形態を図面に基づいて説明する。
図１は本発明の実施の形態における穀粒透視器の背面側から見た斜視図を示す。図２は、図１の穀粒透視器の分解斜視図を示す。図３は、図１の穀粒透視器においてカバーを取り外した状態の説明図を示す。
【００２１】
本実施の形態における穀粒透視器は、ベース１と、回転ドラム２と、カバー３を備える。
前記ベース１には、前記回転ドラム２を回転可能に支持する支持部１１が形成されている。該支持部１１は、前記回転ドラム２の底部中心に形成される凹部が回転可能に緩く嵌合する円形凸部１２と、後述するドラム本体２１の外周面を案内する円形ガイド１３を有している。
また、前記ベース１には、前記回転ドラム２に配設される光源を点灯させるための電源装置等１４が備えられている。
【００２２】
前記回転ドラム２は、円筒状のドラム本体２１と、前記ドラム本体２１の一側部外方に透明カバー２５を介して配設されるＬＥＤ光源２２と、前記ドラム本体２１の内部に配設されて前記ＬＥＤ光源２２からの光を上方に反射する反射板２３と、前記ＬＥＤ光源２２のさらに外側に設けられて当該回転ドラム２を回転操作するレバー２４を有している。また、前記回転ドラム２の底部中心には、前記ベース１の円形凸部１２に回転可能に緩く嵌合する図示しない凹部が形成されている。ここで、前記透明カバー２５は、作業者がＬＥＤ光源２２に直接触れることを防ぐものであり、感電・感熱防止の役割を果たす。
【００２３】
ここでは、複数のＬＥＤ光源２２を円弧状に配設した例を示すが、単数のＬＥＤ光源２２を配設してもよい。また、前記ＬＥＤ光源２２には青みのある白色ＬＥＤ光源を使用することが好ましく、前記反射板２３には樹脂板等からなる黒色反射板を使用することが好ましい。さらに、前記ＬＥＤ光源２２は光軸が水平方向下向きに０〜１０度の範囲となるよう配設し、前記反射板２３は前記ＬＥＤ光源２２に対向する向きであって水平方向に対し１０度〜３５度の範囲の角度となるよう傾斜して配設することが好ましい。
前記ＬＥＤ光源２２に青みのある白色ＬＥＤ光源を使用し、前記反射板２３に黒色反射板を使用すれば、精白米の検査において胴割れの影が米粒内に黒い線として明確に現れるため、目視による確認が容易となる。
【００２４】
前記カバー３には、試料皿を受ける開口部３１が形成されている。前記開口部３１は、当該穀粒透視器を組み立てた状態で前記回転ドラム２の上方に位置するものであり、周囲にはテーパ面３２を有する。そして、当該穀粒透視器に試料皿をセットする際、前記開口部３１は前記テーパ面３２により試料皿を安定した状態で受けることができる。なお、前記開口部３１には、透明な材料から形成される底部を設けることもできる。
【００２５】
前記カバー３の上面には、前記開口部３１から側方へ向けて延びる凹部３３，３４が形成され、試料皿の排出部を受け入れ可能とされている。当該凹部３３，３４は、少なくとも一つが形成されていればよいが、平面視において前記開口部３１の中心と後述するスリット状の開口４１の中心を結ぶ直線に対称な位置に一対形成されていることが好ましい。
【００２６】
図４は図１の穀粒透視器の平面図を示す。図５は図１の穀粒透視器の左側面図を示す。図６は図１の穀粒透視器の正面図を示す。
本発明の実施の形態における穀粒透視器は、ベース１上にカバー３を取り付けて外枠４を構成する。
図４に示すように、前記回転ドラム２のレバー２４は、前記外枠４から外部に延出している。また、前記外枠４は、少なくとも前記レバー２４が外部へ延出する側において円弧形状とされている。
【００２７】
図５及び図６に示すように、前記外枠４には、前記ベース１と前記カバー３の間の側面に所定の範囲に亘りスリット状の開口４１が形成されている。そして、前記レバー２４は、前記スリット状の開口４１を介して外枠４から外部に延出し、前記回転ドラム２の中心を軸として、前記スリット状の開口４１に沿って所定の角度だけ揺動可能とされている。ここで、前記レバー２４は、少なくとも９０度、好ましくは１３５度以上の範囲にわたり揺動可能とされる。
【００２８】
なお、ここでは、前記レバー２４は、前記ベース１と前記カバー３の間の側面に形成されるスリット状の開口４１を介して外枠４から外部に延出するものとしたが、前記カバー３の上面側方にスリット状の開口を円弧状に形成し、前記レバー２４を側面視Ｌ字状に形成して、当該レバー２４を前記円弧状に形成したスリット状の開口を介して外枠４から外部へ延出させることもできる。そして、その場合も、前記レバー２４は、少なくとも９０度、好ましくは１３５度以上の範囲にわたり揺動可能とされる。
【００２９】
図７は、本発明の実施の形態における穀粒透視器に試料皿をセットした状態を背面側から見た斜視図を示す。図８は、本発明の実施の形態における穀物透視器に試料皿をセットした状態の平面図を示す。
本発明の実施の形態における穀粒透視器を使用して米粒の胴割れ検査を行う場合、まず、少なくとも底面が透明な材料により形成された試料皿５に複数の米粒を載置し、当該試料皿５をカバー３に形成された開口部３１にセットする。このとき、前記開口部３１は周囲にテーパ面３２を有するため、前記試料皿５を安定した状態で受けることができる。
【００３０】
次に、穀粒透視器の電源ボタン６をＯＮ操作して、ＬＥＤ光源２２を点灯させる。点灯した前記ＬＥＤ光源２２の光は、直接又は前記反射板２３に反射して、前記試料皿５の底面に斜め下方から入射し、前記試料皿５に載置された複数の米粒を透過する。その際、米粒に胴割れが存在すると暗影が生じて黒い線が現れるため、作業者は胴割れ米を発見することができる。
【００３１】
そして、回転ドラム２のレバー２４を揺動操作し、該回転ドラム２を回転させる。これにより、前記ＬＥＤ光源２２の光が、異なる角度から前記複数の米粒に入射することとなり、米粒によって方向が様々に異なる胴割れのすべてを検出することができる。
【００３２】
本発明の実施の形態における穀粒透視器は、回転ドラム２を回転させるので、作業者から見て米粒の位置が移動しない。
したがって、本発明の実施の形態における穀粒透視器によれば、作業者は、一旦発見した胴割れ米をその後の段階で見失うことがなく、胴割れ米の数え間違いが発生する問題も生じない。
【００３３】
また、本発明の実施の形態における穀粒透視器は、回転ドラム２に設けたレバー２４を、ベース１とカバー３の間の側面やカバー３の上面側方に形成されるスリット状の開口４１を介して外枠４から外部に延出させるので、構造が極めて簡単である。
【００３４】
本発明の実施の形態における穀粒透視器は、カバー３の上面に開口部３１から側方へ向けて延びる凹部３３，３４が形成されているので、図７及び図８に示すように、試料皿５が側方に延出する排出部５１を有する場合でも、当該穀粒透視器に前記試料皿５をセットするに際し、前記排出部５１が障害となることがない。
【００３５】
そして、従来の米粒透視器のように試料皿５を回転させようとする場合には、前記排出部５１が障害となるが、本発明の実施の形態における穀粒透視器は、試料皿５でなく、ＬＥＤ光源２２を有する回転ドラム２を回転させるため、前記試料皿５の排出部５１が障害となることがなく、米粒によって方向が様々に異なる胴割れのすべてを検出することができる。
【００３６】
本発明の実施の形態における穀粒透視器は、カバー３の上面に、開口部３１から側方へ向けて延びる凹部３３，３４が一対形成されていれば、作業者の利き手にかかわらず作業を行いやすくなり、また、前記凹部３３，３４が、平面視において前記開口部３１の中心とスリット状の開口４１の中心を結ぶ直線に対称な位置に一対形成されていれば、作業者の利き手が左右いずれの場合でも作業を円滑に行うことが可能となる。
【００３７】
本発明の実施の形態における穀粒透視器は、前記回転ドラム２に設けられるレバー２４が必ずしもＬＥＤ光源２２と同じ側に設けられる必要はないが、前記レバー２４が、前記回転ドラム２においてＬＥＤ光源２２と同じ側に設けられることとすれば、作業者は、あたかも光源を手に持った感覚で回転部材を回転操作することができるため、胴割れの確認が容易となる。
【００３８】
本発明の実施の形態における穀粒透視器は、米粒に限ることなく、あらゆる穀粒に使用可能であり、また、胴割れ以外の検査にも使用できる。
【００３９】
本発明は、上記実施の形態に限るものでなく、発明の範囲を逸脱しない限りにおいてその構成を適宜変更できることはいうまでもない。
【産業上の利用可能性】
【００４０】
本発明の穀粒透視器は、試料皿を回転させることなく、穀粒によって方向が様々に異なる胴割れのすべてを検出することができるため実用性に優れる。
【符号の説明】
【００４１】
１      ベース
１１      支持部
１２      円形凸部
１３      円形ガイド
２      回転ドラム
２１      ドラム本体
２２      ＬＥＤ光源
２３      反射板
２４      レバー
２５      透明カバー
３      カバー
３１      開口部
３２      テーパ面
３３      凹部
３４      凹部
４      穀粒透視器の外枠
４１      スリット状の開口
５      試料皿
５１      排出部
６      電源ボタン
【図１】
2014173884.tif 000003
【図２】
2014173884.tif 000004
【図３】
2014173884.tif 000005
【図４】
2014173884.tif 000006
【図５】
2014173884.tif 000007
【図６】
2014173884.tif 000008
【図７】
2014173884.tif 000009
【図８】
2014173884.tif 000010